(57)【要約】【課題】固体撮像素子の受光面等に光透過性を有する電磁シールド層を設けることなく、固体撮像素子の前面から放出される電磁波によるＥＭＩの問題を解決することができる撮像装置を提供する。【解決手段】ＣＣＤ１００が取り付けられるレンズホルダ６０にシールドプレート１０６を装着し、このシールドプレート１０６によってＣＣＤ１００の受光面を除く前面から放出される電磁波を遮蔽する。また、ＣＣＤ１００の前方を囲うように設置されるフォーカスレンズガイド筒７０の外表面をシールド部材７２で被覆し、このシールド部材７２によってＣＣＤ１００の受光面から放出される電磁波の外周方向への放射を遮蔽し、撮影レンズの光軸方向に指向性をもたせる。【選択図】      図２
2008104037.tif 000002
【特許請求の範囲】
【請求項１】
固体撮像素子と、前記固体撮像素子の直前に配置されるレンズを収容するレンズ筒を含む撮影レンズとを備えた撮像装置において、
前記レンズ筒の外周に前記固体撮像素子の前面から放出される電磁波を遮蔽するためのシールド部材を設け、
前記レンズ筒内で電気的に浮遊している金属部材をグランドに接続したことを特徴とする撮像装置。
【請求項２】
前記シールド部材は、前記レンズ筒の外周、及び前記レンズ筒の開口を除く前面を覆うように設けられていることを特徴とする請求項１に記載の撮像装置。
【請求項３】
前記固体撮像素子の受光面を除く前面を覆うシールドプレートを更に設け、前記固体撮像素子の受光面を除く前面から放出される電磁波を遮蔽することを特徴とする請求項１又は２に記載の撮像装置。
【請求項４】
前記撮影レンズは、変倍のための第１のレンズ群と、前記第１のレンズ群より後方で変倍時の補正及び焦点合わせを行う第２のレンズ群とを有するリアフォーカス式ズームレンズであり、
前記レンズ筒は、前記第２のレンズ群を収容するフォーカスレンズガイド筒であることを特徴とする請求項１から３のいずれかに記載の撮像装置。
【請求項５】
前記金属部材は、前記フォーカスレンズガイド筒内を移動するフォーカスレンズのガイドシャフトであることを特徴とする請求項４に記載の撮像装置。
【請求項６】
前記金属部材は、前記フォーカスレンズガイド筒内を移動するフォーカスレンズのガイドシャフトであり、このガイドシャフトの一端が前記シールドプレートに当接してグランドに接続されていることを特徴とする請求項４に記載の撮像装置。
【請求項７】
前記撮影レンズは、フレキシブル配線基板と接続され、前記撮影レンズ内の光学部材を駆動するための駆動手段を有し、
前記フレキシブル配線基板は、前記シールド部材に沿うように敷設されるとともに、前記駆動手段と前記シールド部材との間の前記フレキシブル配線基板の長さが最短となるように敷設されることを特徴とする請求項１から６のいずれかに記載の撮像装置。
【請求項８】
前記駆動手段は、シャッタアクチュエータ、絞りアクチュエータ、手振れ補正アクチュエータ、及びフォーカスアクチュエータのうちの２つ以上のアクチュエータであり、この２つ以上のアクチュエータは、前記撮影レンズ内の異なる周方向に配設されていることを特徴とする請求項７に記載の撮像装置。
【発明の詳細な説明】
【技術分野】
【０００１】
本発明は撮像装置に係り、特に電磁波障害（ＥＭＩ：Electromagnetic Interference）を解消するための技術に関する。
【背景技術】
【０００２】
ＣＣＤ（Charge Coupled Device）、ＣＭＯＳ（Complementary Metal Oxide Semiconductor）等の固体撮像素子を備えたデジタル電子スチルカメラ、デジタルビデオカメラ等のデジタルカメラの需要が急増している。
【０００３】
近年のデジタルカメラは、固体撮像素子の高解像度化に伴い、固体撮像素子から画像信号を読み出すためのクロックの周波数を高くし、高速で画像信号を読み出すことが要求されてきている。
【０００４】
３０ＭＨｚのクロック周波数にて固体撮像素子を駆動している従来のデジタルカメラはＥＭＩの問題は発生していなかったが、このクロックの周波数を６０ＭＨｚ以上に上げると、デジタルカメラの撮影レンズを介して基準レベルを越える電磁波が発生するという問題が発生した。
【０００５】
ところで、固体撮像素子を駆動するための駆動回路から最も大きな電磁波が発生するが、この電磁波は、駆動回路をシールド部材で囲むことで遮蔽することが可能である。しかし、この駆動回路によって駆動される固体撮像素子の前面から発生する電磁波は、撮影のための光路を確保するためにシールド部材によって遮蔽することができないという問題がある。
【０００６】
この問題を解決するために、従来、固体撮像素子の受光面にも光透過性を有する電磁シールド層を設けるようにした内視鏡用固体撮像素子モジュールや撮像装置が提案されている。
【特許文献１】特開平５−５６９１６号公報
【特許文献２】特開平７−３８７８９号公報
【発明の開示】
【発明が解決しようとする課題】
【０００７】
しかしながら、特許文献１、２に記載の発明のように固体撮像素子の受光面等に光透過性を有する電磁シールド層を設けると、固体撮像素子への入射光効率が低下し、一方、入射光効率が低下しないように電磁シールド層をより薄くすると、十分なシールド効果が得られなくなるという問題がある。
【０００８】
本発明はこのような事情に鑑みてなされたもので、固体撮像素子の受光面等に光透過性を有する電磁シールド層を設けることなく、固体撮像素子の前面から放出される電磁波によるＥＭＩの問題を解決することができる撮像装置を提供することを目的とする。
【課題を解決するための手段】
【０００９】
前記目的を達成するために請求項１に係る発明は、固体撮像素子と、前記固体撮像素子の直前に配置されるレンズを収容するレンズ筒を含む撮影レンズとを備えた撮像装置において、前記レンズ筒の外周に前記固体撮像素子の前面から放出される電磁波を遮蔽するためのシールド部材を設け、前記レンズ筒内で電気的に浮遊している金属部材をグランドに接続したことを特徴としている。
【００１０】
本発明者は、固体撮像素子の前面から放出される電磁波が、電気的に浮遊している金属部材に入射すると、この金属部材が共振アンテナとなって強い電磁波を放射することを見出した。
【００１１】
そこで、まず、前記レンズ筒の外周に固体撮像素子の前面から放出される電磁波を遮蔽するためのシールド部材を設け、これにより、固体撮像素子の前面から放出される電磁波が、撮影レンズの光軸方向にある程度指向性をもって放出されるようにし、固体撮像素子の前方で電気的に浮遊している金属部材に電磁波が入射しないようにしている。また、レンズ筒内で電気的に浮遊している金属部材はグランドに接続し、この金属部材が共振アンテナにならないようにしている。なお、固体撮像素子の前面から放出され、撮影レンズの略光軸方向に直進する電磁波自体は、ＥＭＩで問題となるレベルよりも十分に小さい。
【００１２】
請求項２に示すように請求項１に記載の撮像装置において、前記シールド部材は、前記レンズ筒の外周、及び前記レンズ筒の開口を除く前面を覆うように設けられていることを特徴としている。即ち、前記シールド部材によってレンズ筒の開口を除く前面も覆うことにより、固体撮像素子の前面から放出される電磁波の指向性をより強くするようにしている。
【００１３】
請求項３に示すように請求項１又は２に記載の撮像装置において、前記固体撮像素子の受光面を除く前面を覆うシールドプレートを更に設け、前記固体撮像素子の受光面を除く前面から放出される電磁波を遮蔽することを特徴としている。即ち、固体撮像素子の前面から放出される電磁波は、固体撮像素子の前面のうちの受光面のみとし、電磁波が放出される面積を最小限にしている。
【００１４】
請求項４に示すように請求項１から３のいずれかに記載の撮像装置において、前記撮影レンズは、変倍のための第１のレンズ群と、前記第１のレンズ群より後方で変倍時の補正及び焦点合わせを行う第２のレンズ群とを有するリアフォーカス式ズームレンズであり、前記レンズ筒は、前記第２のレンズ群を収容するフォーカスレンズガイド筒であることを特徴としている。
【００１５】
請求項５に示すように請求項４に記載の撮像装置において、前記金属部材は、前記フォーカスレンズガイド筒内を移動するフォーカスレンズのガイドシャフトであることを特徴としている。
【００１６】
即ち、前記フォーカスレンズガイド筒内を移動するフォーカスレンズのガイドシャフトが電気的に浮遊していると、固体撮像素子の前面から放出される電磁波がガイドシャフトに入射し、このガイドシャフトが共振アンテナとなって強い電磁波を放射するが、ガイドシャフトをグランドに接続することにより、ガイドシャフトが共振アンテナにならないようにしている。
【００１７】
請求項６に示すように請求項４に記載の撮像装置において、前記金属部材は、前記フォーカスレンズガイド筒内を移動するフォーカスレンズのガイドシャフトであり、このガイドシャフトの一端が前記シールドプレートに当接してグランドに接続されていることを特徴としている。これにより、ガイドシャフトのグランド（シールドプレートは当然にグランドに接続されているが）への接続を部品点数を増やすことなく行うことができる。
【００１８】
請求項７に示すように請求項１から６のいずれかに記載の撮像装置において、前記撮影レンズは、フレキシブル配線基板と接続され、前記撮影レンズ内の光学部材を駆動するための駆動手段を有し、前記フレキシブル配線基板は、前記シールド部材に沿うように敷設されるとともに、前記駆動手段と前記シールド部材との間の前記フレキシブル配線基板の長さが最短となるように敷設されることを特徴としている。
【００１９】
即ち、フレキシブル配線基板も電磁波が入射すると、ここから電磁波が放射するが、電磁波が入射するフレキシブル配線基板の長さ（即ち、前記駆動手段と前記シールド部材で覆われているレンズ筒の先端との間のフレキシブル配線基板の長さ）を最短になるようにし、これによりフレキシブル配線基板の基板パターンが共振アンテナになって電磁波を放射しないように、又は放射する電磁波が最小限になるようにしている。
【００２０】
請求項８に示すように請求項７に記載の撮像装置において、前記駆動手段は、シャッタアクチュエータ、絞りアクチュエータ、手振れ補正アクチュエータ、及びフォーカスアクチュエータのうちの２つ以上のアクチュエータであり、この２つ以上のアクチュエータは、前記撮影レンズ内の異なる周方向に配設されていることを特徴としている。これにより、前記フレキシブル配線基板の一端側は、アクチュエータの数に応じて分岐するとともに、各アクチュエータの撮影レンズ内の周方向の位置に応じて前記シールド部材の周囲に沿って巻き付けられるようになる。
【発明の効果】
【００２１】
本発明によれば、撮影レンズ内の電気的に浮遊している金属部材を電磁シールドし、また、電磁シールドできない金属部材についてはグランドに接続するようにしたため、固体撮像素子の前面から電磁波が放出されても前記金属部材が共振アンテナとなって強い電磁波を放射しないようにすることができる。これにより、固体撮像素子を高周波のクロック（例えば、６０ＭＨｚ以上）で駆動してもＥＭＩの問題が生じないようにすることができる。
【発明を実施するための最良の形態】
【００２２】
以下、添付図面に従って本発明に係る撮像装置の好ましい実施の形態について説明する。
【００２３】
図１は本発明が適用されたデジタルカメラの一実施形態の外観構成を示す正面斜視図である。
【００２４】
同図に示すように、このデジタルカメラ１０は、電子ビューファインダを利用した一眼レフタイプのレンズ一体式カメラであり、撮影レンズ１２がカメラ本体１４の正面に一体的に組み付けられている。
【００２５】
カメラ本体１４は、左側部がグリップ１６を成すようにＬ字状に形成されており、その正面に撮影レンズ１２が一体的に組み付けられている。この撮影レンズ１２は、リアフォーカス式のズームレンズで構成されており、光学式の手ブレ補正機能を有している。
【００２６】
カメラ本体１４の上部には、ポップアップ式のストロボ１８、ホットシュー２０、モードダイヤル２２、コマンドダイヤル２４、シャッタボタン２６、電源レバー２８等が設けられており、図示しないカメラ本体１４の背面には、電子ビューファインダ、液晶モニタ、十字ボタン、メニューボタン、ＯＫボタン、キャンセルボタン等が設けられている。
【００２７】
図２は、撮影レンズ１２の概略構成を示す側面断面図であり、図３は、その背面図である。
【００２８】
上記のように、撮影レンズ１２は、光学式の手ブレ補正機能を有するリアフォーカス式のズームレンズで構成されており、そのレンズ鏡筒３０の内部には、ズームレンズ群３２、絞り・シャッタユニット３４、手ブレ補正ユニット３６、フォーカスレンズ群３８が光軸Ｌに沿ってレンズ鏡筒３０の先端側から順に収納配置されている。
【００２９】
レンズ鏡筒３０は、円筒状に形成された内筒４０と、その内筒４０の外周に回動自在に設けられた回転筒４２と、回転筒４２の外周を覆う外筒４４とで構成されており、カメラ本体１４内に設けられたレンズホルダ６０に取り付けられている。外筒４４は、その基端部において、内筒４０に固定されており、回転筒４２は、この内筒４０と外筒４４との間を回動自在に設けられている。
【００３０】
回転筒４２の先端部には、ズームリング４６が一体的に取り付けられており、外筒４４の先端部から張り出して設けられている。回転筒４２は、このズームリング４６を回転操作することにより、内筒４０と外筒４４との間を回転する。
【００３１】
レンズホルダ６０は、板状に形成されており、その中央（光軸Ｌ上）にＣＣＤ用の開口部６０Ａが形成されている。このレンズホルダ６０の前面には、レンズ鏡筒３０を保持するための保持枠６２が一体的に形成されている。レンズ鏡筒３０は、その内筒４０の基端部を保持枠６２の内周部に嵌合させることでレンズホルダ６０に取り付けられ、その内筒４０の基端部を図示しないビスでレンズホルダ６０にネジ止めすることにより、レンズホルダ６０に一体的に固定される。
【００３２】
なお、このレンズホルダ６０は、図示しないカメラ本体１４の本体フレームに図示しないビスによってネジ止めされている。したがって、このレンズホルダ６０にレンズ鏡筒３０が取り付けられることにより、レンズ鏡筒３０は、カメラ本体１４に一体的に固定される。
【００３３】
ズームレンズ群３２は、撮影レンズ１２の変倍調整を行う。このズームレンズ群３２は、ズームレンズ枠４８に保持されている。
【００３４】
ズームレンズ枠４８は、円筒状に形成されており、その外周部には、３本のカムピン５０が放射状に立設されている。各カムピン５０は、内筒４０に形成された直進溝５２に挿通されており、その先端部は、回転筒４２の内周部に形成されたカム溝５４に嵌入されている。
【００３５】
ズームリング４６を回転操作して、回転筒４２を回転させると、カムピン５０と直進溝５２とカム溝５４との作用によって、ズームレンズ枠４８が光軸Ｌに沿って前後移動する。この結果、ズームレンズ群３２が光軸Ｌに沿って前後移動し、撮影レンズ１２の焦点距離が変化する。
【００３６】
絞り・シャッタユニット３４は、撮影レンズ１２の絞り調整と露光調整を行う。この絞り・シャッタユニット３４は、ブラケット５６を介して内筒４０の内周部に固定されており、図示しない絞りとメカシャッタを備えている。絞りは、絞り・シャッタユニット３４に内蔵された図示しない絞りアクチュエータに駆動されて動作し、これにより、撮影レンズ１２の絞りが調整される。また、メカシャッタは、絞り・シャッタユニット３４に内蔵された図示しないシャッタクチュエータに駆動されて動作し、これにより、ＣＣＤの露光が調整される。
【００３７】
手ブレ補正ユニット３６は、手ブレに基づく結像面での像ブレの補正を行う。この手ブレ補正ユニット３６は、ブラケット５８を介して内筒４０の内周部に固定されており、図示しない補正レンズを備えている。補正レンズは、光軸Ｌに直交する面内をパン方向及びチルト方向に移動自在に設けられており、手ブレ補正ユニット３６に内蔵された図示しない手ブレ補正アクチュエータに駆動されて、ブレを打ち消す方向に駆動される。これにより、手ブレに基づく結像面での像ブレが補正される。
【００３８】
フォーカスレンズ群３８は、変倍時の補正及び焦点合わせを行う。このフォーカスレンズ群３８は、内筒４０内に設けられたフォーカスレンズガイド筒７０内に収納配置されている。
【００３９】
フォーカスレンズガイド筒７０は、円筒状に形成されており、その外表面が電磁波を遮蔽可能な金属性のシールド部材７２によって被覆されている。尚、シールド部材は、一般的に導電性の金属で構成され、グランドに接続されることによりシールド効果を発揮する。
【００４０】
このフォーカスレンズガイド筒７０は、光軸Ｌと同軸上に配置されており、その基端部に一体成形されたフランジ部７０Ａを図示しないビスによってレンズホルダ６０にネジ止めすることにより、レンズホルダ６０に一体的に固定されている。
【００４１】
フォーカスレンズガイド筒７０内に収納されたフォーカスレンズ群３８は、フォーカスレンズ枠７４に保持されている。このフォーカスレンズ枠７４の外周部には、一対のガイド部７６が突出して形成されている。各ガイド部７６には、光軸Ｌに沿ってガイド穴７８が形成されており、各ガイド穴７８にはフォーカスレンズガイド筒７０内を光軸Ｌに沿って配設されたガイドシャフト８０が挿通されている。フォーカスレンズ枠７４は、このガイドシャフト８０に沿って摺動自在に支持されており、これにより、フォーカスレンズ群３８が光軸Ｌに沿って移動自在に支持される。
【００４２】
ここで、このフォーカスレンズ枠７４を摺動自在に支持するガイドシャフト８０は金属によって形成されており、その基端部をレンズホルダ６０及びフォーカスレンズ枠７４に形成された貫通穴８２、８４に挿通されて片持ち支持されている。すなわち、この貫通穴８２、８４の内径は、ガイドシャフト８０の外径よりも若干小さく形成されており、貫通穴８２、８４にガイドシャフト８０を挿通することにより、締まり嵌めにより支持される。なお、後述するように、このガイドシャフト８０は、その基端部が貫通穴８２からレンズホルダ６０の背面に露出し、レンズホルダ６０に取り付けられた金属性のシールドプレート１０６に当接する。
【００４３】
フォーカスレンズガイド筒７０の外周部には、フォーカスモータ８６が取り付けられており、その回転軸には、光軸Ｌに沿って配設されたネジ棒８８が連結されている。このネジ棒８８には、ナット部材９０が螺合されており、ナット部材９０は、連結部材９１を介してフォーカスレンズ枠７４の一方のガイド部７６に連結されている。フォーカスモータ８６を駆動してネジ棒８８を回転させると、その回転に応じてナット部材９０がネジ棒８８に沿って前後移動し、これにより、フォーカスレンズ枠７４に保持されたフォーカスレンズ群３８が光軸Ｌに沿って前後移動する。
【００４４】
なお、このフォーカスレンズ群３８を駆動するためのフォーカスモータ８６への駆動信号の送信及び電力供給等は、カメラ本体１４内の図示しないメイン基板に接続されたフレキシブル配線基板９２を介して行われる。同様に絞り・シャッタユニット３４の絞りを駆動するための絞りアクチュエータやメカシャッタを駆動するためのシャッタクチュエータ、手ブレ補正ユニット３６の補正レンズを駆動するための手ブレ補正アクチュエータへの駆動信号の送信及び電力供給等はフレキシブル配線基板９２を介して行われる。
【００４５】
この撮影レンズ１２内の各駆動アクチュエータに接続されるフレキシブル配線基板９２は、内筒４０の基端部外周に形成された配線導入口９４を介して撮影レンズ１２の内部に導入され、図４に示すように、シールド部材７２で被覆されたフォーカスレンズガイド筒７０の外周を沿うように敷設される。そして、シールド部材７２で被覆されたフォーカスレンズガイド筒７０の前方に位置する駆動アクチュエータに対しては、そのフォーカスレンズガイド筒７０の外周を沿うように敷設されたフレキシブル配線基板９２の一部を分岐し、光軸Ｌに沿って直線状に引き出して敷設されている。すなわち、このフレキシブル配線基板９２は、シールド部材７２で被覆されたフォーカスレンズガイド筒７０の外周に沿って敷設されるベース部９２Ａと、そのベース部９２Ａから光軸Ｌに沿って垂直に引き出される引出部９２Ｂとを有しており、フォーカスレンズガイド筒７０の前方に位置する駆動アクチュエータに対しては、この直線状に延びる引出部９２Ｂを介してフレキシブル配線基板９２が接続される。
【００４６】
これにより、シールド部材７２で被覆されたフォーカスレンズガイド筒７０の前方に位置する駆動アクチュエータに対して、そのフォーカスレンズガイド筒７０の先端から配線接続部までのフレキシブル配線基板の長さを最短に設定することができ、不要輻射の影響を最小限に抑えることができる。
【００４７】
なお、本実施の形態では、絞り・シャッタユニット３４の絞りアクチュエータとシャッタクチュエータ、及び、手ブレ補正ユニット３６の手ブレ補正アクチュエータがシールド部材７２で被覆されたフォーカスレンズガイド筒７０の前方に位置しているので、これらのアクチュエータの配線接続部３４Ａ、３６Ａに対して直線状に延びる引出部９２Ｂが接続される。
【００４８】
また、本実施の形態では、一本のフレキシブル配線基板９２を分岐して、各駆動アクチュエータの配線接続部に接続しているが、個別にフレキシブル配線基板を用意して接続するようにしてもよい。
【００４９】
撮影レンズ１２は、以上のように構成され、この撮影レンズ１２が取り付けられたレンズホルダ６０にＣＣＤ１００が取り付けられる。
【００５０】
なお、本実施の形態では、固体撮像素子としてＣＣＤを用いているが、ＣＭＯＳ等ＣＣＤ以外の固体撮像素子を用いる構成としてもよい。
【００５１】
ＣＣＤ１００は、ＣＣＤホルダ１０２を介してＣＣＤ基板１０４に一体的に取り付けられており、このＣＣＤ基板１０４がレンズホルダ６０の背面所定位置に図示しないビスでネジ止めされることにより、ＣＣＤ１００がレンズホルダ６０に取り付けられる。
【００５２】
このＣＣＤ１００が取り付けられるレンズホルダ６０の背面には、電磁波を遮蔽可能なシールドプレート１０６が装着されており、このシールドプレート１０６によって、ＣＣＤ１００の受光面を除く前面から放出される電磁波が遮蔽されるように構成されている。
【００５３】
このシールドプレート１０６は、金属によって円盤状に形成されており、その外径は少なくともレンズ鏡筒３０の内径よりも大きく形成されている。
【００５４】
また、このシールドプレート１０６の中央部には、ＣＣＤホルダ１０２が嵌合可能な凹部１０６Ａが形成されており、その凹部１０６Ａ内には、ＣＣＤ１００の受光面の大きさとほぼ同じ大きさの開口部１０６Ｂが形成されている。
【００５５】
シールドプレート１０６は、この凹部１０６Ａをレンズホルダ６０に形成された開口部６０Ａに嵌合させることにより、レンズホルダ６０に装着される。そして、図示しないビスによってレンズホルダ６０にネジ止めされることにより、レンズホルダ６０に一体的に固定される。
【００５６】
このレンズホルダ６０に装着された金属性のシールドプレート１０６には、グランド用のケーブル１０８を介してカメラ本体１４の金属性のフレーム１１０に接続されている。すなわち、グランドと接続されている。
【００５７】
なお、上述したフォーカスレンズガイド筒７０の外表面を被覆する金属性のシールド部材７２もグランド用のケーブル１１２を介してこのカメラ本体１４の金属性のフレーム１１０に接続されている。すなわち、グランドと接続されている。
【００５８】
また、このシールドプレート１０６がレンズホルダ６０に装着されることにより、ガイドシャフト８０がシールドプレート１０６に当接し、ガイドシャフト８０もグランドに接続される。
【００５９】
ＣＣＤ１００は、このシールドプレート１０６が装着されたレンズホルダ６０に図示しないビスでＣＣＤ基板１０４をネジ止めすることによりレンズホルダ６０に取り付けられる。そして、レンズホルダ６０に取り付けられたＣＣＤ１００は、受光面以外の領域がシールドプレート１０６で覆われた状態で受光面のみがレンズホルダ６０の開口部６０Ａから露出する。これにより、ＣＣＤ１００の受光面を除く前面から放出される電磁波がシールドプレート１０６によって遮蔽される。
【００６０】
ＣＣＤ１００が取り付けられたＣＣＤ基板１０４には、フレキシブル配線基板１１４を介して回路基板１１６が接続されており、回路基板１１６は、図示しないビスを介してレンズホルダ６０の背面にネジ止めされている。この回路基板１１２には、ＣＣＤ１００を駆動するＣＣＤ駆動回路やレンズ駆動用ＣＰＵ、ＣＣＤ１００から出力される撮像信号に相関二重サンプリングを行うとともに、適正ないゲイン増幅を行うアナログ信号処理回路、アナログ信号処理回路で処理された撮像信号をデジタル変換して画像データ（ＣＣＤ−ＲＡＷデータ）とするＡ／Ｄ変換回路、画像データをカメラ本体１４へ送信するためのデータ通信回路等が実装されており、フレキシブル配線基板１１８を介して図示しないカメラ本体１４のメイン基板に接続されている。
【００６１】
以上のように構成された本実施の形態のデジタルカメラ１０の作用は次のとおりである。
【００６２】
ＣＣＤ１００が取り付けられたレンズホルダ６０には、シールドプレート１０６が装着されており、ＣＣＤ１００の前面から放出される電磁波は、受光面を除きこのシールドプレート１０６によって遮蔽される。
【００６３】
ＣＣＤ１００の受光面からレンズ鏡筒３０内に放出される電磁波は、このシールドプレート１０６で遮蔽することはできないが、本実施の形態のデジタルカメラ１０では、ＣＣＤ１００の前方を囲うようにしてフォーカスレンズガイド筒７０が取り付けられており、そのフォーカスレンズガイド筒７０の外表面がシールド部材７２によって被覆されている。この結果、ＣＣＤ１００の受光面から放出された電磁波は、このシールド部材７２によって放射範囲が絞られ、撮影レンズ１２の光軸方向にある程度指向性をもって放出されるようになる。
【００６４】
そして、このようにＣＣＤ１００の受光面から放出される電磁波が、撮影レンズ１２の光軸方向にある程度指向性をもって放出されることにより、ＣＣＤ１００の前方で電気的に浮遊している金属部材に電磁波が入射されるのを防止することができ、金属部材が共振アンテナになるのを有効に防止することができる。
【００６５】
これにより、ＣＣＤ１００を高周波のクロック（例えば、６０ＭＨｚ）で駆動しても、ＥＭＩの問題が生じないようにすることができる。また、ＣＣＤ１００の受光面等に光透過性を有する電磁シールド層を設けなくても、ＣＣＤ１００の前面から放出される電磁波によるＥＭＩの問題を解決することができる。
【００６６】
なお、フォーカスレンズガイド筒７０内に配置されている金属部材に対しては、ＣＣＤ１００の受光面から放出される電磁波の入射を阻止できないが、このようにフォーカスレンズガイド筒７０内に配置されている金属部材に対しては、グランドに接続し、共振アンテナにならないように構成する。本実施の形態のデジタルカメラ１０では、ガイドシャフト８０がこれに対応するが、ガイドシャフト８０は、金属性のシールドプレート１０６に当接されて、グランドに接続されているので、共振アンテナになることはない。
【００６７】
なお、本実施の形態では、ガイドシャフト８０をシールドプレート１０６に当接させて、グランドに接続しているが、グランド用のケーブルをガイドシャフト８０に接続し、グランドとなるフレーム等に接続するようにしてもよい。本実施の形態のようにガイドシャフト８０をシールドプレート１０６に当接させてグランドに接続することにより、部品点数を削減し、構成を簡素化することができる。
【００６８】
また、本実施の形態のデジタルカメラ１０では、フォーカスレンズガイド筒７０内に配置されている金属部材はガイドシャフト８０のみであるが、この他にも金属部材がフォーカスレンズガイド筒７０内に配置されている場合は、ガイドシャフト８０と同様にシールドプレート１０６に接続する等して、グランドと接続する構成とする。たとえば、ビスがフォーカスレンズガイド筒７０の内部に配置されている場合には、このビスもシールドプレート１０６に接続する等して、グランドと接続する構成とする。
【００６９】
また、フレキシブル配線基板９２も電磁波が入射すると、ここから電磁波が放射されるが、本実施の形態のデジタルカメラ１０では、電磁波が入射するフレキシブル配線基板の長さ（すなわち、各駆動アクチュエータの配線接続部とシールド部材７２で被覆されたフォーカスレンズガイド筒７０の先端との間のフレキシブル配線基板の長さ）が最短になるようにフレキシブル配線基板を敷設しているので、フレキシブル配線基板の基板パターンが共振アンテナになって電磁波を放射するのを効果的に抑制することができる。
【００７０】
なお、このような敷設方法は、フレキシブル配線基板の配線導入口と駆動アクチュエータの配線接続部との位置が周方向にズレている場合や、複数の駆動アクチュエータに配線する場合であって、各駆動アクチュエータの配線接続部の位置が周方向に異なる場合に特に有効に作用する。
【００７１】
なお、本実施の形態では、フォーカスレンズガイド筒７０の外表面をシールド部材７２によって被覆する構成としているが、その被覆の態様は特に限定されるものではない。たとえば、フォーカスレンズガイド筒７０の外形形状に沿った形状の金属性のカバーをシールド部材とし、これをフォーカスレンズガイド筒７０に被せることにより、フォーカスレンズガイド筒７０の外表面をシールド部材で被覆するようにしてもよい。また、フォーカスレンズガイド筒７０の外表面に金属メッキを施し、この金属メッキをシールド部材としてフォーカスレンズガイド筒７０の外表面をシールド部材で被覆するようにしてもよい。
【００７２】
また、本実施の形態では、フォーカスレンズガイド筒７０の外表面をシールド部材７２で被覆することにより、ＣＣＤ１００の前面から放出される電磁波の外周方向への放射を遮蔽する構成としているが、このシールド部材は、フォーカスレンズガイド筒７０とは別に設けるようにしてもよい。たとえば、図５、図６に示すように、円筒状に形成されたシールド部材１２０でフォーカスレンズガイド筒７０の外周を囲い、この円筒状のシールド部材１２０によってＣＣＤ１００の受光面から放出される電磁波の外周方向への放射を遮蔽する構成としてもよい。この場合、シールド部材１２０の先端は蓋部材１２２で覆い、ＣＣＤ１００の露光に必要最小限な大きさの開口部１２２Ａをその蓋部材１２２に形成することが好ましい。これにより、ＣＣＤ１００の受光面から放射された電磁波の外周方向への放射を効果的に遮蔽でき、撮影レンズの光軸方向に指向性を持たせて放射させることができる。
【００７３】
なお、図５、図６に示す例では、シールド部材１２０をシールドプレート１０６に直接接続する構成としている。これにより、グランド用のケーブルの配線等が不要になり、構成をより簡素化することができる。フォーカスレンズ群３８をガイドする金属性のガイドシャフト８０も同様にシールドプレート１０６に直接接続されている。更に、フォーカスモータ８６によって駆動されるネジ棒８８もシールドプレート１０６に直接接続されている。これにより、フォーカスモータ８６及びネジ棒８８が共振アンテナにならないようにしている。
【００７４】
また、このようにシールド部材１２０をフォーカスレンズガイド筒７０とは別体で設ける場合も、図７、図８に示すように、駆動アクチュエータ用のフレキシブル配線基板９２は、シールド部材１２０の外周を沿うように配設する。また、シールド部材１２０の前方に位置する駆動アクチュエータに対しては、そのフレキシブル配線基板９２の長さが最短になるように敷設する。これにより、フレキシブル配線基板９２の基板パターンが共振アンテナになって電磁波を放射するのを効果的に抑制することができる。
【００７５】
なお、本実施の形態では、本発明をデジタルカメラに適用した場合を例に説明したが、本発明の適用はこれに限定されるものではなく、この他、ビデオカメラや携帯電話機等に組み込まれたデジタルカメラ等にも適用することができる。
【図面の簡単な説明】
【００７６】
【図１】本発明が適用されたデジタルカメラの一実施形態の外観構成を示す正面斜視図
【図２】撮影レンズの概略構成を示す側面断面図
【図３】撮影レンズの概略構成を示す背面図
【図４】フレキシブル配線基板の敷設構造を示す斜視図
【図５】撮影レンズの他の実施の形態の概略構成を示す側面断面図
【図６】図５の要部拡大図
【図７】撮影レンズの他の実施の形態の概略構成を示す斜視図
【図８】撮影レンズの他の実施の形態の概略構成を示す側面図
【符号の説明】
【００７７】
１０…デジタルカメラ、１２…撮影レンズ、１４…カメラ本体、３０…レンズ鏡筒、３２…ズームレンズ群、３４…絞り・シャッタユニット、３６…手ブレ補正ユニット、３８…フォーカスレンズ群、４０…内筒、４２…回転筒、４４…外筒、６０…レンズホルダ、７０…フォーカスレンズガイド筒、７２…シールド部材、８０…ガイドシャフト、９２…フレキシブル配線基板、９２Ａ…ベース部、９２Ｂ…引出部、１００…ＣＣＤ、１０２…ＣＣＤホルダ、１０４…ＣＣＤ基板、１０６…シールドプレート、１０６Ａ…凹部、１０６Ｂ…開口部、１１４…フレキシブル配線基板、１１６…回路基板、１１８…フレキシブル配線基板、Ｌ…光軸
【図１】
2008104037.tif 000003
【図２】
2008104037.tif 000004
【図３】
2008104037.tif 000005
【図４】
2008104037.tif 000006
【図５】
2008104037.tif 000007
【図６】
2008104037.tif 000008
【図７】
2008104037.tif 000009
【図８】
2008104037.tif 000010